(57)【特許請求の範囲】
【請求項１】
建物に取り付けられたドアの外面と内面を保護する養生パネルにおいて、
複数のパーツ板が連結材により連結され、該連結部で折り畳み可能な第１のパネルと、
複数のパーツ板が連結材により連結され、該連結部で折り畳み可能な第２のパネルと、
上記第１のパネルの長手方向の一端と上記第２のパネルの長手方向の一端とを連結する湾曲可能な連結ベルトとを備え、
上記第１のパネルおよび上記第２のパネルは、それぞれ短手方向の両端にドアノブを回避する開閉可能な開き部を有する
ことを特徴とするドア用養生パネル。
【請求項２】
上記連結ベルトの一端は、上記第１のパネルまたは上記第２のパネルの表面に固定され、
上記連結ベルトの他端には、オス型またはメス型の面ファスナーが設けられ、
上記第２のパネルまたは上記第１のパネルには、上記連結ベルトの他端に設けられた第１の面ファスナーと接着するメス型またはオス型の第２の面ファスナーが設けられ、
上記第２の面ファスナーが上記第２のパネルまたは上記第１のパネルの長手方向に所定間隔をもって複数個設けられている
ことを特徴とする請求項１に記載のドア用養生パネル。
【請求項３】
上記第２のパネルの長手方向の寸法と上記第１のパネルの長手方向の寸法とは異なる
ことを特徴とする請求項１または請求項２のいずれかに記載のドア用養生パネル。
【発明の詳細な説明】
【０００１】
【発明の属する技術分野】
この発明は、例えば建築現場においてドアを養生（破損防止）するためのドア用養生パネルに関する。詳しくは、それぞれ複数のパーツ板が連結テープにより連結され、該連結部で折り畳み可能な第１、第２のパネルの長手方向の一端同士を連結ベルトを用いて連結した構成とすることによって、搬送が容易になり、またドアへの取り付けが簡単となるようにしたドア用養生パネルに係るものである。
【０００２】
【従来の技術】
建築の現場で、例えば住宅等の建物のドアは、早い段階で取り付けられる。そして工事中は資材の搬入等の作業を行うため、特に玄関のドアには搬入される資材が衝突したりして傷が付くおそれがある。そのため、建物の完成直前まで外面および内面に養生材を取り付けて保護するのが一般的である。
従来、作業中に建物のドアに傷つけないようにダンボールまたはベニア板でドアの両面を覆って粘着テープで張りつけて固定する方法が用いられている。
【０００３】
また、再利用ができるように、図８に示す専用の養生材（養生パネル）１が提案されている。この専用の養生材１は、ドア７のサイズに対応する大きさの表面パネル２と裏面パネル３とから構成される。この専用の養生材１の表面パネル２の下部と裏面パネル３の下部とが連結されている。また、表面パネル２と裏面パネル３の上部および側部には面ファスナー４ａ，４ｂが取り付けられている。
【０００４】
ドア７に取り付ける場合、表面パネル２と裏面パネル３の上部を面ファスナー４ａで固定し、表面パネル２と裏面パネル３の側部を面ファスナー４ｂで固定する。また、表面パネル２と裏面パネル３には、ドアノブ８を逃げるために、ドアノブ８に対応する位置で左右両端に開口部が設けられ、ドア７に取り付ける際に、ドアノブ８がない側の開口部を塞ぐパーツ５を粘着テープ６で取り付ける。このようにしてドアを養生することができる。
【０００５】
【発明が解決しようとする課題】
上述したように、ダンボールまたはベニア板を用いる方法では、ドアを覆っても傷が付き易い、特にダンボールの場合、ポールが当たったりすると破れて、ドアに傷付く。また、ドアの両面からダンボールまたはベニア板をおさえながら粘着テープで固定するため、取り付け作業に時間がかかり、最低二人の作業員が必要である。さらに、ダンボールまたはベニア板は繰り返し使用することができないため、廃棄処分も必要であるという問題がある。
【０００６】
また、図７に示す専用の養生材１を用いる場合は、養生パネルの再利用が可能であるが、表面パネル２、裏パネル３のサイズが大きいため、持ち運びが困難であり、取り付ける際にも最低二人の作業員が必要となる。また、左右両端に開口部を塞ぐパーツ５は不使用時には取り外すものであるため、無くさないようにパーツの管理が必要であるという問題がある。
そこで、この発明は、搬送が容易になり、ドアへの取り付けが簡単となるドア用養生パネルを提供することを目的とする。
【０００７】
【課題を解決するための手段】
この発明に係るドア用養生パネルは、建物に取り付けられたドアの外面と内面を保護する養生パネルにおいて、複数のパーツ板が連結材により連結され、該連結部で折り畳み可能な第１のパネルと、複数のパーツ板が連結材により連結され、該連結部で折り畳み可能な第２のパネルと、第１のパネルの長手方向の一端と第２のパネルの長手方向の一端とを連結する湾曲可能な連結ベルトとを備え、第１のパネルおよび第２のパネルは、それぞれ短手方向の両端にドアノブを回避する開閉可能な開き部を有するものである。
【０００８】
この発明においては、それぞれ複数のパーツ板が連結テープにより連結され、この連結部で折り畳み可能な第１、第２のパネルの長手方向の一端を連結ベルト用いて連結する。例えば、連結ベルトの一端は、第１のパネルまたは第２のパネルの表面に固定され、その他端には、オス型またはメス型の第１の面ファスナーが設けられる。第２のパネルまたは第１のパネルには、連結ベルトの他端に設けられた第１の面ファスナーと接着するメス型またはオス型の第２の面ファスナーが設けられ、連結ベルトの他端に設けられた第１の面ファスナーが当該第２の面ファスナーに接着されることで第１、第２のパネルが連結される。このように面ファスナーを用いた構成とすることで、第１のパネル、第２のパネルの連結、その解除を容易に行い得る。また例えば、第２のパネルに、面ファスナーを長手方向に所定間隔をもって複数個もけることで、第１、第２のパネル間の連結間隔を調節することができるため、ドアの規格にそれぞれ対応できる。また、折り畳み可能のため、養生パネルがコンパクト化され、保管および搬送が容易になり、また、連結ベルトの長さを調節した後、ドアの頂部に掛け渡すことできるため、取り付けが簡単になり、また作業時間を短縮することが可能となる。
【０００９】
また例えば、第１のパネルおよび第２のパネルには、ドアノブを回避する開閉可能な開き部が設けられる。これにより、養生パネルが一体化され、分離される別パーツがないため、養生パネルの管理が容易になる。
また例えば、第１のパネルと第２のパネルの長手方向の寸法が異なるため、取り付ける際に、ドアクローザを回避することが可能となる。
【００１０】
また、第１のパネルおよび第２のパネルのパーツ板の素材には、例えば透明または半透明の合成樹脂を採用する。そのため、養生パネル全体が軽くなり、持ち運びに便利であり、また、耐久性および耐水性が良く、繰り返し使用することが可能となる。また、ドアの表面の色を確認することが可能となる。
【００１１】
【発明の実施の形態】
以下、図面を参照して、この発明の実施の形態のドア用養生パネル（以下「養生パネル」という）について説明する。
図１は、実施の形態の養生パネル１００の構成を示している。この養生パネル１００は、図１に示すように、第１のパネルとしての外面パネル１１と、第２のパネルとしての内面パネル１２と、外面パネル１１と内面パネル１２の上部とを連結する連結ベルト１３とから構成されている。
【００１２】
外面パネル１１は、ドアの表面を保護するもので、複数のパーツ板１０、例えば４枚のパーツ板からなる。パーツ板１０とパーツ板１０との間は連結テープといしての粘着テープ１４で連結される。図１に示すように、粘着テープ１４は外面パネル１１の表面と裏面に交互に接着されている。これにより、外面パネルをパーツ板１０の単位で折り畳むことが容易となる。
【００１３】
また、この外面パネル１１の表面上部に、先端部に例えばオス型の面ファスナー１６ａが設けられた例えば３本の連結ベルト１３が縫製または両面テープで固定される。また、この外面パネル１１の表面の両側に、それぞれ外面パネル１１と内面パネル１２とを固定するための５本の固定ベルト１７が縫製または両面テープで固定される。この固定ベルト１７の先端部にも例えばオス型の面ファスナー１６ａが取り付けられている。面ファスナーとして、マジックテープ（Ｒ）を使用することが可能である。
【００１４】
また、外面パネル１１の中部両側のドアノブに対応する位置に開き部１５が設けられている。この開き部１５部分の一端は粘着テープ１４等で外面パネル１１に連接され、外面パネル１１の裏面側に折り畳むことが可能とされている。図示の例では、開き部１５は、２つのパネル板１０にわたって設けられている。つまり各開き部１５は２つの部分からなっている。
【００１５】
内面パネル１２は、ドアの裏面を保護するもので、複数のパーツ板１０、例えば４枚のパーツ板からなる。パーツ板１０とパーツ板１０との間は粘着テープ１４等で連結される。図１に示すように、連結テープ１４は内面パネル１２の表面と裏面に交互に接着されている。これにより内面パネル１２をパーツ板１０の単位で折り畳むことが容易となる。この内面パネル１２の表面の外周部（下部を除く）に、上述した外面パネル１１に固定された連結ベルト１３、固定ベルト１７の先端部に設けられたオス型面ファスナー１６ａが接着するための複数のメス型面ファスナー１６ｂが縫製または両面テープで固定される。また、この内面パネル１２は、ドア上部に取り付けられている開閉部材（ドアクローザ）を回避するために、上部のパーツ板１０（１０ａ）の長さが他のパーツ板１０より短くされ、即ち、内面パネル１２の展開後の長手方向の長さは外面パネル１１のそれより短くされている。
【００１６】
また、内面パネル１２の中部両側のドアノブに対応する位置に開き部１５を設けられている。この開き部１５は、パーツ板１０を所定寸法に切り離し、切り離された部分の一端を粘着テープ１４等で外面パネル１１に連接し、外面パネル１１の裏面側に折り畳むことが可能とされている。図示の例では、開き部１５は、２つのパネル板１０にわたって設けられている。つまり各開き部１５は２つの部分からなっている。
【００１７】
また、内面パネル１２の上部に設けられた連結ベルト１３取り付け用メス型面ファスナー１６ｂは、上から長手方向に所定間隔をもって例えば３個設けられている。これにより、連結ベルト１３を用いて外面パネル１１と内面パネル１２とを連結する際、外面パネル１１と内面パネル１２との連結間隔を調整することが可能となる。
【００１８】
パーツ板１０，１０ａは、合成樹脂板材、例えば、ポリエチレンテレフタレート（Ｐｏｌｙ（ｅｔｈｙｌｅｎｅ  ｔｅｒｅｐｈｔｈａｌａｔｅ）、略称ＰＥＴ）、またはポリプロピレン（Ｐｏｌｙｐｒｏｐｙｌｅｎｅ、略称ＰＰ）の板材を用いて形成されている。なお、オレフィン系の透明樹脂の板材を用いてもよい。養生パネル１００が透明または半透明の場合、ドアの表面の色を確認することができる。
【００１９】
図２は、連結ベルト１３の構成を示している、この連結ベルト１３は、例えば、綿または合成樹脂等の材料からなっている。この連結ベルト１３の先端部にオス型面ファスナー１６ａが取り付けられている。この連結ベルト１３のオス型面ファスナー１６ａが取り付けられた側とは逆の端部は固定部１３ｂとされ、縫製または両面テープで外面パネル１１に固定される。また、詳細説明は省略するが、固定用ベルト１７も、連結ベルト１３と同様な構成とされる。ただし、長さは連結ベルト１３より短くされている。
【００２０】
次に、図３〜６を参照しながら、養生パネル１００の使用状態について説明する。
図３は、養生パネル１００の折り畳む状態を示している。図３に示すように、養生パネル１００を構成する外面パネル１１および内面パネル１２は、各パーツ板１０の連結部で折り畳むことができる。この場合、粘着テープ１４が内側となるように折り畳まれる。図４は、養生パネル１００の取り付け開始時の状態を示している。図５は、養生パネル１００をドアに取り付けた状態の側面図である。
【００２１】
養生パネル１００の取り付け作業は以下のように行われる。まず、養生パネル１００の外面パネル１１、内面パネル１２を折り畳んだ状態で連結ベルト１３の先端部を内面パネル１２に取り付ける。この場合、連結ベルト１３の先端部の取り付け位置によって外面パネル１１と内面パネル１２との連結間隔を調節する。次に、図４に示すように、ドア７の頂部を挟み、スライドさせてドア７の頂部に掛け、その後に折り畳んだ外面パネル１１、内面パネル１２のパーツ板１０を降ろしていく。
【００２２】
次に、図５に示すように、折り畳んだパーツ板１０を降ろした後に、養生パネル１００の外面パネル１１の先端部に設けられたオス型面ファスナー１６ａを、それぞれ内面パネル１２に設けられた対応するメス型面ファスナー１６ｂに接着する。
【００２３】
図６は、ドアノブ逃げの開き部１５の取り付け状態を示している。図６（ａ）は、表面パネルの取り付け状態の平面図、図６（ｂ）は、Ａ−Ａ断面図である。図６に示すように、養生パネル１００をドア７に取り付ける際に、ドアノブ８のある側の開き部１５を内側に折って、ドアノブ８を露出させた状態とする。ドアノブ８がない側では、開き部１５をそのままパーツ板と同じ平面にしてドア７の表面に固定する。
【００２４】
このようにしてドアノブ８とドアの開閉部材（ドアクローザ）９とを回避して、ドア７の外面と内面を養生パネル１００（外面パネル１１、内面パネル１２）で養生できる。
【００２５】
このように本実施の形態においては、養生パネル１００は、４枚のパーツ板１０が粘着テープ１４により連結された外面パネル１１と４枚のパーツ板１０が粘着テープ１４により連結された内面パネル１２とが、面ファスナー１６ａ付きの連結ベルト１３用いて連結される構成とされたものであり、各パネル１１、１２は折り畳みが可能であり、養生パネル１００のコンパクト化でき、保管、搬送が容易となる。
【００２６】
また、内面パネル１２に、メス型面ファスナー１６ｂを長手方向に所定間隔をもって３個設けることで、外面パネル１１と内面パネル１２とを連結する際の連結間隔を調節することができるため、ドアの規格にそれぞれ対応できる。また、連結ベルト１３を取り付け後、ドアの頂部に掛け渡すことできるため、取り付けが簡単になり、また作業時間を短縮することができる。
【００２７】
また、外面パネル１１および内面パネル１２には、ドアノブ８を回避する開閉可能な開き部１５が設けられる。これにより、養生パネル１００が一体化され、分離される別パーツがないため、養生パネルの管理が容易になる。
また、外面パネル１１と内面パネル１２の長手方向の寸法が異なるため、取り付ける際に、ドアクローザ９を回避することができる。
【００２８】
また、外面パネル１１および内面パネル１２のパーツ板１０の素材には、ポリエチレンテレフタレート（ＰＥＴ）またはポリプロピレン（ＰＰ）を採用する。そのため、養生パネル全体が軽くなり、持ち運びに便利であり、また、耐久性および耐水性が良く、繰り返し使用することができる。
さらに、養生パネルが廃棄し、焼却処分を行う場合、環境に悪影響がならない。
【００２９】
なお、上述実施の形態においては、外面パネル１１または内面パネル１２が４枚のパーツ板１０を粘着テープ１４で連結したものを示したが、外面パネル１１または内面パネル１２がその他の枚数のパーツ板１０から構成されるようにしてもよい。図７（ａ）は、３枚のパーツ板１０を粘着テープ１４で連結したものである。図７（ｂ）は、２枚のパーツ板１０を粘着テープ１４で連結したものである。これらの場合、一枚のパーツ板１０の寸法が大きくなり、即ち折り畳んだ状態での寸法が大きくなるが、パーツ板が少ないため、養生パネル１００の加工が簡単となり、また、折り畳み回数が少なくなる利点がある。
【００３０】
また、上述実施の形態とは異なり、連結ベルト１３および固定ベルト１７は、内面パネル１２に縫製または両面テープで固定し、外面パネル１１にメス型面ファスナー１６ｂを設けるようにしてもよい。また、オス型面ファスナー１６ａとメス型面ファスナー１６ｂとの取り付けは逆であってもよい。
【００３１】
【発明の効果】
この発明によれば、それぞれ複数のパーツ板が連結テープにより連結され、該連結部で折り畳み可能な第１、第２のパネルの長手方向の一端同士を連結ベルトを用いて連結したものであり、連結ベルトの先端部の取り付け位置を調節できるため、ドアの規格にそれぞれ対応でき、また、折り畳み可能のため、養生パネルがコンパクト化され、保管および搬送が容易になり、また、連結ベルトの先端部の取り付け後、ドアの頂部に掛け渡すことできるため、取り付けが簡単になり、また作業時間を短縮することができる。
【００３２】
また、第１のパネルおよび第２のパネルには、ドアノブを回避する開閉可能な開き部が設けられる。これにより、養生パネルが一体化され、分離される別パーツがないため、養生パネルの管理が容易になる。
【００３３】
また、第１のパネルと第２のパネルの長手方向の寸法が異なるため、取り付ける際に、ドアクローザを回避することができる。
【００３４】
また、第１のパネルおよび第２のパネルのパーツ板の素材には、透明または半透明の合成樹脂を採用する。そのため、養生パネル全体が軽くなり、持ち運びに便利であり、また、耐久性および耐水性が良く、繰り返し使用することが可能となる。また、ドアの表面の色を確認することが可能となる。
【図面の簡単な説明】
【図１】実施の形態の養生パネルの構成を示す図である。
【図２】連結ベルトの構成を示す図である。
【図３】養生パネルの折り畳み状態を示す図である。
【図４】養生パネルの取り付け開始時の状態を示す図である。
【図５】養生パネルをドアに取り付けた状態の側面図である。
【図６】ドアノブ逃げ開き部の取り付け状態を示す図である。
【図７】養生パネルの他の構成例を示す図である。
【図８】従来の養生パネルを示す図である。
【符号の説明】
７・・・ドア、８・・・ドアノブ、９・・・ドアクローザ、１０，１０・・・パーツ板、１１・・・外面パネル、１２・・・内面パネル、１３・・・連結ベルト、１３ｂ・・・固定部、１４・・・粘着テープ、１５・・・開き部、１６ａ・・・オス型面ファスナー、１６ｂ・・・メス型面ファスナー、１７・・・固定ベルト、１００・・・養生パネル
【図１】
0003569263.tif 000002
【図２】
0003569263.tif 000003
【図３】
0003569263.tif 000004
【図４】
0003569263.tif 000005
【図５】
0003569263.tif 000006
【図６】
0003569263.tif 000007
【図７】
0003569263.tif 000008
【図８】
0003569263.tif 000009